(57)【要約】【課題】複数の熱源で発生する熱を分断して放熱することで、各熱源で発生する熱を効率よく放熱して各熱源で発生する熱による他の熱源への影響を軽減することができる電子機器を提供する。【解決手段】複数の熱源を有する電子機器であって、第１熱源８１と第２熱源８３との間に配置され、第１熱源８１の熱を外部に放熱する第１ダクト８２と、第１熱源８１を第１ダクト８２との間に挟む位置に配置され、第２熱源８３の熱を外部に放熱する第２ダクト８４と、を備える。【選択図】図３
2018164250.tif 000002
【特許請求の範囲】
【請求項１】
複数の熱源を有する電子機器であって、
第１熱源と第２熱源との間に配置され、前記第１熱源の熱を外部に放熱する第１ダクトと、前記第１熱源を前記第１ダクトとの間に挟む位置に配置され、前記第２熱源の熱を外部に放熱する第２ダクトと、を備えることを特徴とする電子機器。
【請求項２】
前記第２ダクトを前記第１熱源との間に挟む位置に配置された第３熱源と、
前記第３熱源と前記第２ダクトとの間に配置され、前記第３熱源の熱を外部に放熱する第３ダクトと、を備えることを特徴とする請求項１に記載の電子機器。
【請求項３】
前記第１ダクト、前記第２ダクトおよび前記第３ダクトは、略平行に配置されていることを特徴とする請求項２に記載の電子機器。
【請求項４】
前記第１ダクト、前記第２ダクトおよび前記第３ダクトは、光軸に対して垂直に配置されていることを特徴とする請求項３に記載の電子機器。
【請求項５】
前記第１熱源は、撮像素子ユニットを含み、
前記撮像素子ユニットに固定された放熱部材と、
前記放熱部材を弾性部材を介して保持する保持部材と、を有し、
前記放熱部材と前記保持部材との間に前記第１ダクトの流路が形成されていることを特徴とする請求項４に記載の電子機器。
【請求項６】
前記弾性部材は、前記放熱部材に対して光軸と垂直な方向に弾性変形が可能であることを特徴とする請求項５に記載の電子機器。
【請求項７】
前記保持部材は、光透過性のある材料で形成されていることを特徴とする請求項５または６に記載の電子機器。
【請求項８】
前記第２ダクトおよび前記第３ダクトに外気を吸気するための送風機が前記第２ダクトと前記第３ダクトとの間に設けられていることを特徴とする請求項２乃至７のいずれか一項に記載の電子機器。
【請求項９】
前記第１ダクトは、前記第２ダクトに連通していることを特徴とする請求項２乃至７のいずれか一項に記載の電子機器。
【請求項１０】
前記第１ダクト、前記第２ダクトおよび前記第３ダクトに外気を吸気するための送風機が前記第２ダクトと前記第３ダクトとの間に設けられていることを特徴とする請求項９に記載の電子機器。
【請求項１１】
前記第３熱源は、記録メディア基板を有することを特徴とする請求項２乃至１０のいずれか一項に記載の電子機器。
【請求項１２】
前記第３ダクトは、前記第３の熱源に沿って流れる外気の流路と前記送風機の近傍を流れる外気の流路とを有し、
前記第３の熱源に沿って流れる外気の流路の幅は、前記送風機の近傍を流れる外気の流路の幅に比べて狭く形成されていることを特徴とする請求項８または１０に記載の電子機器。
【請求項１３】
前記第２ダクトは、流路方向と垂直方向に一定のピッチで配列された少なくとも上流側のフィンと下流側のフィンを備え、
前記上流側のフィンと前記下流側のフィンとは、互いに半ピッチ分オフセットして配列されることを特徴とする請求項１乃至１２のいずれか一項に記載の電子機器。
【請求項１４】
前記上流側のフィンと前記下流側のフィンのすべての流路の流路断面積が略一定になるように前記第２ダクトの外形部に切り欠き部が形成されていることを特徴とする請求項１３に記載の電子機器。
【請求項１５】
前記第２ダクトは、前記上流側のフィンと前記下流側のフィンと異なる位置に配置された放熱板を有することを特徴とする請求項１４に記載の電子機器。
【請求項１６】
前記第１熱源は、前記第２熱源に比べて発熱量が大きいことを特徴とする請求項１乃至１５に記載の電子機器。
【請求項１７】
前記第１ダクトの前記第１熱源に対向する側には、前記第１ダクトの前記第２熱源に対向する側に比べて熱伝導率の低い部材が配置されていることを特徴とする請求項１６に記載の電子機器。
【請求項１８】
前記第２ダクトの流路の断面積は、他のダクトの流路の断面積より大きいことを特徴とする請求項１６または１７に記載の電子機器。
【請求項１９】
前記第１ダクトの前記第１熱源に対向する面と前記第２熱源に対向する面は、導電部材により電気的に接続され、前記導電部材は、前記第１ダクトを流れる空気の流路を形成する位置に配置されていることを特徴とする請求項１乃至１８のいずれか一項に記載の電子機器。
【請求項２０】
複数の熱源を有する電子機器であって、
記録メディアと、
熱源としてのメディア基板と、
前記メディア基板に電気的および熱的に接続され、前記メディア基板および前記記録メディアと平行な平面部を有して前記記録メディアを保持する保持部材と、
吸気口および排気口を有する放熱用のダクトと、を備え、
前記ダクトと前記保持部材の前記平面部は弾性部材を介して封止されていることを特徴とする電子機器。
【請求項２１】
前記記録メディアを保護するメディア蓋を備え、
前記吸気口は、前記メディア蓋の近傍で、かつ前記メディア基板の前記保持部材が配置された面側に配置されていることを特徴とする請求項２０に記載の電子機器。
【請求項２２】
前記保持部材は、金属にて形成され、前記記録メディアと少なくとも一部が接触していることを特徴とする請求項２０または２１に記載の電子機器。
【請求項２３】
前記保持部材の前記平面部は、矩形状に形成され、
前記吸気口および前記排気口は、前記メディア基板の投影上、前記平面部の略対角となる位置に配置されていることを特徴とする請求項２０乃至２２のいずれか一項に記載の電子機器。
【請求項２４】
前記ダクトの内部に空気の流れを形成する送風機を有することを特徴とする請求項２０乃至２３のいずれか一項に記載の電子機器。
【請求項２５】
複数の熱源と複数のダクトを有する電子機器であって、
第１熱源の熱を外部に放熱する第１ダクトと、
前記第１熱源を前記第１ダクトとの間に挟む位置に配置され、前記第２熱源の熱を外部に放熱する第２ダクトと、
前記第１熱源と第３熱源との間に配置され、前記第３熱源の熱を外部に放熱する第３ダクトと、を備え、
前記第１熱源と前記第２熱源は、互いに垂直方向に延びて略平行に配置され、前記第３熱源は、前記第１熱源に対して垂直方向に配置され、
前記第１ダクトに前記第２ダクトおよび前記第３ダクトが接続されていることを特徴とする電子機器。
【請求項２６】
前記第１ダクトには、片面吸気の送風機が設けられ、
前記第１ダクトの吸気口、前記第２ダクトと前記第１ダクトの接続口および前記第３ダクトと前記第１ダクトの接続口のそれぞれが、前記送風機の吸気部の投影上略対角になる位置に配置されていることを特徴とする請求項２５に記載の電子機器。
【請求項２７】
機器本体に対してヒンジ部を介して開閉方向に開閉方向に回動可能に支持された表示ユニットを備え、
前記第３ダクトの吸気口は、前記表示ユニットが閉じた状態で前記機器本体に対向する面に形成されて一部が外部に露出する凹形状の指かけ部に配置されていることを特徴とする請求項２５または２６に記載の電子機器。
【請求項２８】
前記第３ダクトの吸気口は、前記表示ユニットの中心よりも前記ヒンジ部から離れた側に配置されることを特徴とする請求項２７に記載の電子機器。
【請求項２９】
前記機器本体は、外部インターフェイス部を有し、
前記外部インターフェイス部と前記ヒンジ部は、前記表示ユニットを間に挟んで反対側に配置されていることを特徴とする請求項２５乃至２８に記載の電子機器。
【発明の詳細な説明】
【技術分野】
【０００１】
本発明は、複数の熱源を有する電子機器に関する。
【背景技術】
【０００２】
デジタルビデオカメラやデジタルスチルカメラ等では、近年の小型化の要請により、撮像素子が実装されたセンサ回路基板や、制御信号や画像信号を処理する電子部品が実装されたメイン回路基板の配置スペースが小さくなり、各基板の距離間が近くなっている。また、基板実装技術の進歩により回路基板に実装されている電子部品の実装密度も高くなっている。
【０００３】
一方、撮像素子は、高画質化、高フレームレート化に伴い、消費電力が大きくなり、発熱量も増大している。撮像素子は、一般的に高温になるほど性能が低下するため撮像素子で発生した熱を放熱する必要がある。また、メイン回路基板に実装された電子部品で発生した熱が撮像素子に伝わり、撮像素子の温度を上昇させてしまうことを抑制する必要がある。また、近年、記録メディアへの書き込み速度が増加することにより、記録メディアの発熱量も増大している。
【０００４】
従来、撮像素子やメイン回路基板の放熱対策として、吸気口から筐体内に取り込んだ空気を排気口からファンにより筐体の外部に排気する、筐体内に連通しない空気流通路を有する放熱ダクトを備える撮像装置が提案されている（特許文献１）。
【０００５】
この提案では、放熱ダクトは、撮像素子の受光面の裏面と電子部品が実装されたメイン回路基板との間に配置され、また、撮像素子側の部材がメイン回路基板側の部材より熱伝導率の高い部材で形成されている。
【先行技術文献】
【特許文献】
【０００６】
【特許文献１】特開２０１３−９３６９７号公報
【発明の概要】
【発明が解決しようとする課題】
【０００７】
しかし、上記特許文献１では、放熱ダクトは、メイン回路基板の熱と撮像素子の熱を放熱する必要がある。このため、メイン回路基板の発熱量が多くなると、全ての熱を外部に放熱できずに、撮像素子にメイン回路基板の熱が伝達され、撮像素子の温度が上昇してしまう場合が考えられる。
【０００８】
また、メイン回路基板の熱が十分に放熱されないことにより、筐体内部に配置された記録メディア等の温度が上昇してしまうことも想定される。しかし、上記特許文献１では、放熱ダクトは、メイン回路基板の熱と撮像素子の熱を放熱する必要があり、メイン回路基板の発熱量が多くなると全ての熱を放熱できずに、内部に配置された記録メディア等の温度が上昇してしまうというという問題がある。
【０００９】
そこで、本発明の第１の目的は、複数の熱源で発生する熱を分断して放熱することで、各熱源で発生する熱を効率よく放熱して各熱源で発生する熱による他の熱源への影響を軽減することができる電子機器を提供することにある。
【００１０】
また、本発明の第２の目的は、各熱源から発生する熱を分断しつつ記録メディアの熱を効率的に放熱することができる電子機器を提供することにある。
【課題を解決するための手段】
【００１１】
上記目的を達成するために、本発明は、複数の熱源を有する電子機器であって、第１熱源と第２熱源との間に配置され、前記第１熱源の熱を外部に放熱する第１ダクトと、前記第１熱源を前記第１ダクトとの間に挟む位置に配置され、前記第２熱源の熱を外部に放熱する第２ダクトと、を備えることを特徴とする。
【００１２】
また、本発明は、複数の熱源を有する電子機器であって、記録メディアと、熱源としてのメディア基板と、前記メディア基板に電気的および熱的に接続され、前記メディア基板および前記記録メディアと平行な平面部を有して前記記録メディアを保持する保持部材と、吸気口および排気口を有する放熱用のダクトと、を備え、前記ダクトと前記保持部材の前記平面部は弾性部材を介して封止されていることを特徴とする。
【００１３】
また、本発明は、複数の熱源と複数のダクトを有する電子機器であって、第１熱源の熱を外部に放熱する第１ダクトと、前記第１熱源を前記第１ダクトとの間に挟む位置に配置され、前記第２熱源の熱を外部に放熱する第２ダクトと、前記第１熱源と第３熱源との間に配置され、前記第３熱源の熱を外部に放熱する第３ダクトと、を備え、前記第１熱源と前記第２熱源は、互いに垂直方向に延びて略平行に配置され、前記第３熱源は、前記第１熱源に対して垂直方向に配置され、前記第１ダクトに前記第２ダクトおよび前記第３ダクトが接続されていることを特徴とする。
【発明の効果】
【００１４】
本発明によれば、複数の熱源で発生する熱を分断して放熱することで、各熱源で発生する熱を効率よく放熱して各熱源で発生する熱による他の熱源への影響を軽減することができる電子機器を提供することができる。
【００１５】
また、本発明によれば、各熱源から発生する熱を分断しつつ記録メディアの熱を効率的に放熱することができる電子機器を提供することができる。
【図面の簡単な説明】
【００１６】
【図１】（ａ）は本発明の電子機器の第１の実施形態であるレンズ交換式のデジタルビデオカメラを正面側から見た斜視図、（ｂ）は（ａ）に示すデジタルビデオカメラを背面側から見た斜視図である。
【図２】カメラ本体の分解斜視図である。
【図３】カメラ本体の左右方向に沿う断面図である。
【図４】カメラ本体の光軸方向に沿う断面図である。
【図５】第２ダクトユニットの放熱構造を示す斜視図である。
【図６】メインユニットの分解斜視図である。
【図７】メイン回路基板を示す図である。
【図８】（ａ）は第２ダクトをフィン側から見た図、（ｂ）は（ａ）のＡ部拡大図である。
【図９】フィンの間を流れる空気の温度境界層を説明するイメージ図である。
【図１０】メイン回路基板と第２ダクトの部分拡大図である。
【図１１】撮像素子の放熱ユニットをカメラ本体の正面側から見た分解斜視図である。
【図１２】（ａ）はマウント部材及び撮像素子ユニットをカメラ本体の正面側から見た分解斜視図、（ｂ）は（ａ）の背面側から見た分解斜視図である。
【図１３】（ａ）は撮像素子ユニットと第１ダクトユニットとをカメラ本体の正面側から見た分解斜視図、（ｂ）は（ａ）の背面側から見た分解斜視図である。
【図１４】撮像素子ユニットと第１ダクトユニットの組立体の要部断面図である。
【図１５】マウント部材と撮像素子ユニットと第１ダクトユニットの光軸方向に沿う要部断面図である。
【図１６】第１ダクトユニットの保持部材、放熱部材及び導電部材とメイン回路基板を示す斜視図である。
【図１７】第１ダクトユニットの素子放熱部材、導電部材、保持部材、放熱部材、放熱シート及びメイン回路基板の組立体の要部断面図である。
【図１８】（ａ）は冷却ユニットをカメラ本体の背面側から見た斜視図、（ｂ）は（ａ）に示す冷却ユニットの分解斜視図である。
【図１９】（ａ）は冷却ユニットをカメラ本体の正面側から見た斜視図、（ｂ）は（ａ）に示す冷却ユニットの分解斜視図である。
【図２０】（ａ）はメディア基板、第３ダクトユニット、及び送風機を示す図、（ｂ）は（ａ）のＡ−Ａ線断面図である。
【図２１】第３ダクトユニットの拡大斜視図である。
【図２２】（ａ）は本発明の電子機器の第２の実施形態であるレンズ交換式のデジタルビデオカメラを正面側から見た斜視図、（ｂ）は（ａ）に示すデジタルビデオカメラを背面側から見た斜視図である。
【図２３】表示パネル部が開いた状態でのカメラ本体を背面側から見た斜視図である。
【図２４】カメラ本体の外部インターフェイス部に外部接続ケーブルの外部インターフェイス端子を接続した状態をカメラ本体の背面側から見た斜視図である。
【図２５】カメラ本体の背面指かけ部近傍の要部断面図である。
【図２６】撮影者が背面指かけ部に指をかけて表示パネル部を開いている状態を示す斜視図である。
【図２７】カメラ本体の分解斜視図である。
【図２８】カメラ本体の背面側から見た光軸と直交する方向に沿う断面図である。
【図２９】カメラ本体の上面側から見た光軸方向に沿う断面図である。
【図３０】第１ダクトユニット、メイン回路基板及び送風機を一体化したメインユニットの斜視図である。
【図３１】図３０に示すメインユニットを背面側から見た斜視図である。
【図３２】図３０に示すメインユニットの分解斜視図である。
【図３３】第１ダクトの斜視図である。
【図３４】第２ダクトユニット及び撮像素子基板ユニットのカメラ本体の背面側から見た斜視図である。
【図３５】第２ダクトユニット及び撮像素子基板ユニットのカメラ本体の正面側から見た分解斜視図である。
【図３６】第３ダクトユニット、第１記録メディアユニット及び第２記録メディアユニット周りの斜視図である。
【図３７】第３ダクトユニット、第１記録メディアユニット及び第２記録メディアユニット周りの分解斜視図である。
【図３８】第３ダクトユニットまわりの放熱構造を示す要部断面図である。
【発明を実施するための形態】
【００１７】
以下、図面を参照して、本発明の実施形態を説明する。
【００１８】
（第１の実施形態）
図１（ａ）は本発明の電子機器の第１の実施形態であるレンズ交換式のデジタルビデオカメラを正面側から見た斜視図、図１（ｂ）は図１（ａ）に示すデジタルビデオカメラを背面側から見た斜視図である。なお、本実施形態では、本発明の電子機器として、撮像装置の一例であるデジタルビデオカメラを例示するが、これに限定されない。
【００１９】
本実施形態のデジタルビデオカメラ（以下、カメラという。）は、図１に示すように、カメラ本体１の正面側に、不図示のレンズユニットが着脱可能に装着されるマウント部材２、及びマウント部材２等を覆う正面カバーユニット３が設けられている。カメラ本体１の正面側から見て左側には、左側カバーユニット４が設けられている。
【００２０】
左側カバーユニット４は、後述する第１ダクトユニット８２（図２参照）に外気を取り込むための第２吸気口４１、及び後述する第２ダクトユニット８４（図２参照）に外気を取り込むための第１吸気口４２が設けられている。また、左側カバーユニット４には、カメラ本体１を撮影時に把持するための不図示のグリップユニットが着脱可能に取り付けられるグリップ取り付け部４３が設けられている。グリップユニットには、撮影の開始／停止操作を行うためのキー等が配置されている。
【００２１】
カメラ本体１の上面部には、上面カバーユニット５が設けられており、上面カバーユニット５には、不図示のハンドルや不図示の表示パネル等を取り付けるためのアクセサリ取り付けネジ部５１が光軸方向に互いに離間して２箇所形成されている。また、上面カバーユニット５のカメラ本体１の背面側には、ビューファインダ５２が設けられている。
【００２２】
カメラ本体１の正面側から見て右側には、右側カバーユニット６が設けられており、右側カバーユニット６には、右側操作キー６１、電源ダイアル６２、第１記録メディア６３（図２参照）が設けられている。
【００２３】
右側操作キー６１は、撮影時及び再生時に使用するキーであり、それぞれに機能の割り振りが可能となっている。機能の割り振りとしては、例えば、撮影の開始／停止、ピーキング、撮影画角の部分拡大、ＮＤユニットのフィルタ濃度の切り替え、送風機の回転数の変更などがある。電源ダイアル６２は、回動操作により、カメラ本体１の電源のオン／オフ切り替えが可能であり、電源オン状態では、レンズユニットを通過して不図示の撮像素子に結像した被写体光束が撮像素子により光電変換される。撮像素子で光電変換された画像信号は、後述するメイン回路基板８３（図２参照）の画像処理部により画像データに変換され、ビューファインダ５２や外部モニタ等に画像として表示される。
【００２４】
第１記録メディア６３は、カメラにおけるメインの記録メディアであり、右側カバーユニット６には、第１記録メディア６３を保護するための第１蓋部材６４が開閉可能に設けられている。第１蓋部材６４の開状態において、カメラ本体１に対して第１記録メディア６３の挿抜が可能となる。第１記録メディア６３は、右側カバーユニット６の面に対して略垂直方向に挿抜される。
【００２５】
また、第１蓋部材６４の閉状態において、カメラ本体１に装着された第１記録メディア６３へのアクセスが可能となり、撮像素子で撮像されてメイン回路基板８３の画像処理部によりデジタル処理された画像データを記録することができる。本実施形態では、第１記録メディア６３は、Ｃｆａｓｔ（登録商標）カード等のメモリカードであり、カメラ本体１に搭載される複数の記録メディアのうちで最も発熱する記録メディアである。また、右側カバーユニット６には、後述する送風機８５（図２参照）により空気を外部へ排出するための排気口６５が設けられており、排気口６５は、カメラ本体１の光軸に対し上下略対称に配置されている。
【００２６】
カメラ本体１の背面側には、背面カバーユニット７が設けられており、背面カバーユニット７の下段には、カメラ本体１に電源を供給するバッテリ７１が着脱可能に装着されるバッテリ室７８が設けられている。背面カバーユニット７の中段には、背面操作キー７２、入力音声の選択や音量レベルの設定を行うオーディオ操作キー７３、データを記録可能な第２記録メディア７４、及び第２記録メディア７４を覆う第２蓋部材７５が設けられている。
【００２７】
第２記録メディア７４は、単独でデータを記録することが可能であり、第１記録メディア６３と同時に同じデータを記録することも可能である。また、本実施形態では、第２記録メディア７４が２つ配置されており、これに同時記録することも可能であり、記録メディアの選択をすることができる。
【００２８】
更に、背面カバーユニット７には、図中では蓋に覆われて不図示になっているが、ＳＤＩ信号を出力するＢＮＣコネクタ、映像出力用のＨＤＭＩ（登録商標）コネクタ、電源供給用の電源コネクタ、音声出力用のヘッドフォンコネクタ等の外部インターフェイスが配置されている。また、背面カバーユニット７には、後述する第３ダクトユニット８６に外気を取り込むための第３吸気口７７がビューファインダ５２の側部に位置して設けられている。
【００２９】
次に、図２を参照して、カメラ本体１の内部構造について説明する。図２は、カメラ本体１の分解斜視図である。図２では、各カバーユニット４〜６の図示は省略している。
【００３０】
図２に示すように、カメラ本体１は、正面側にマウント部材２が配置され、マウント部材２の背面側には、ＮＤユニット８０が配置されている。本実施形態では、電動のＮＤユニット８０を用いており、複数の濃度のＮＤフィルタが右側操作キー６１の操作によって電動で入れ替え可能となっている。
【００３１】
ＮＤユニット８０の背面側には、撮像素子がセンサ回路基板に実装された、撮像素子ユニット８１が配置されている。本実施形態では、撮像素子ユニット８１を撮影時に発熱する第１熱源としている。撮像素子ユニット８１の背面側には、第１ダクトユニット８２が配置されており、詳細は後述するが、第１ダクトユニット８２には、前述した第２吸気口４１と排気口６５とを接続する通風口が設けられている。撮像素子ユニット８１で発生した熱を第１ダクトユニット８２に伝熱することで撮像素子ユニット８１を冷却している。ここで、マウント部材２、ＮＤユニット８０、撮像素子ユニット８１、及び第１ダクトユニット８２は、一体化されて正面カバーユニット３の一部を形成している。
【００３２】
第１ダクトユニット８２の背面側には、メイン回路基板８３が配置されている。メイン回路基板８３は、カメラ本体１、及びカメラ本体１に接続されるアクセサリ等を制御する基板であり、メイン回路基板８３上には複数の熱源が設けられている。本実施形態では、メイン回路基板８３は、カメラ本体１で最も電力を消費し、発熱する基板である。本実施形態では、メイン回路基板８３を第２熱源としている。
【００３３】
メイン回路基板８３の背面側には、第２ダクトユニット８４が配置されている。詳細は後述するが、第２ダクトユニット８４には、前述した第１吸気口４２と排気口６５とを接続する通風路が設けられている。メイン回路基板８３で発生した熱を第２ダクトユニット８４に伝熱することでメイン回路基板８３を冷却している。第２ダクトユニット８４の背面側には、送風機８５が配置されている。ここで、メイン回路基板８３、第２ダクトユニット８４、及び送風機８５を一体化したユニットをメインユニットとする。
【００３４】
送風機８５の背面側には、第３ダクトユニット８６が配置され、第３ダクトユニット８６の背面側には、記録メディア基板８７が配置されている。記録メディア基板８７には、第１記録メディア６３をカメラ本体１と接続するコネクタが実装されている。詳細は後述するが、第３ダクトユニット８６には、前述した第３吸気口７７と排気口６５とを接続する通風口が設けられている。
【００３５】
また、第１記録メディア６３は、前述したように、データを記録する際に発熱するため、第１記録メディア６３で発生した熱を第３ダクトユニット８６に伝熱することで第１記録メディア６３ひいては記録メディア基板８７を冷却する。本実施形態では、記録メディア基板８７を第３熱源としている。第３ダクトユニット８６、及び記録メディア基板８７は、背面カバーユニット７に固定されて背面カバーユニット７の一部を構成している。
【００３６】
次に、図３及び図４を参照して、送風機８５により発生する空気の流れについて説明する。図３は、カメラ本体１の左右方向に沿う断面図である。図４は、カメラ本体１の光軸方向に沿う断面図である。なお、図３及び図４における矢印は、送風機８５により発生する空気の流れを示している。
【００３７】
図３に示すように、送風機８５が駆動されると、第１吸気口４２から外部の空気がカメラ本体１内に取り込まれ、取り込まれた空気は、第２ダクトユニット８４を通って送風機８５に取り込まれる。同時に、第２吸気口４１からも外部の空気がカメラ本体１内に取り込まれ、取り込まれた空気は、第１ダクトユニット８２を通って送風機８５に取り込まれる。更に同時に、図４に示すように、第３吸気口７７からも外部の空気がカメラ本体１内に取り込まれ、取り込まれた空気は、第３ダクトユニット８６を通って送風機８５に取り込まれる。そして、３つの吸気口４２，４１，７７からカメラ本体１内に取り込まれた空気が送風機８５により排気口６５を通じで外部に排出される。
【００３８】
ここで、撮像素子ユニット８１、第１ダクトユニット８２、メイン回路基板８３、第２ダクトユニット８４、記録メディア基板８７は、それぞれが略平行に配置されて光軸に対して直交するように配置されている。また、第２吸気口４１及び第１吸気口４２と排気口６５とは、カメラ本体１の左右方向に互いに対向して配置されている。
【００３９】
そして、撮像素子ユニット８１（第１熱源）の熱は、第１ダクトユニット８２に伝熱されて放熱され、メイン回路基板８３（第２熱源）の熱は、第２ダクトユニット８４に伝熱されて放熱される。記録メディア基板８７（第３熱源）の熱は、第３ダクトユニット８６に伝熱されて放熱される。
【００４０】
また、撮像素子ユニット８１（第１熱源）とメイン回路基板８３（第２熱源）との間に第１ダクトユニット８２が配置されているため、発熱量の大きいメイン回路基板８３の熱が撮像素子ユニット８１に伝わることを防ぐことができる。更に、メイン回路基板８３（第２熱源）と記録メディア基板８７（第３熱源）との間に第２ダクトユニット８４が配置され、第２ダクトユニット８４と記録メディア基板８７との間に第３ダクトユニット８６とが配置されている。このため、発熱量の大きいメイン回路基板８３の熱が記録メディア基板８７に伝わることを防ぐことができる。
【００４１】
このように、３つの熱源８３，８１，８７で発生する熱を３つのダクトユニット８４，８２，８６で分断することで、各熱源８３，８１，８７で発生する熱を効率よく放熱して各熱源８３，８１，８７で発生する熱による他の熱源への影響を軽減することができる。
【００４２】
次に、図５及び図６を参照して、第２ダクトユニット８４の構造について説明する。図５は、第２ダクトユニット８４の放熱構造を示す斜視図である。図６は、メイン回路基板８３、第２ダクトユニット８４、及び送風機８５からなるメインユニットの分解斜視図である。
【００４３】
図５及び図６に示すように、第２ダクトユニット８４は、第２ダクト２０１及びダクト蓋２０２を備え、第２ダクト２０１は、熱伝導率の高い金属部材等で形成され、第２ダクト２０１をダクト蓋２０２により塞ぐことで、空気が漏れない通風路を構成している。
【００４４】
メイン回路基板８３に実装されている主要素子２２０（図７参照）と第２ダクト２０１が接するように光軸方向に重ねて配置することで、主要素子２２０の熱を金属部材等で形成された第２ダクト２０１へ伝熱することができる。なお、メイン回路基板８３の主要素子２２０と第２ダクト２０１の間に放熱ゴム等を介装して第２ダクト２０１へ効率良く熱を伝達できるようにしてもよい。
【００４５】
図６に示すように、第２ダクト２０１の内部には、多数のフィン２１０が立設されている。本実施形態では、フィン２１０は、第２ダクト２０１と一体に成形しているが、フィン２１０をヒートシンクとして別体として第２ダクト２０１に固定してもよい。多数のフィン２１０を立設していることで、第２ダクトユニット８４の内部に空気が流れる際、空気に触れる表面積を拡大できるため、より効率的に空気へ熱が伝達されて放熱される。この際、第２ダクト２０１及びダクト蓋２０２により第２ダクトユニット８４内を流れる空気の流路を限定することにより、空気を効率的に流すことができ、放熱効果を高めることができる。
【００４６】
また、図５及び図６に示すように、ダクト蓋２０２は、通風路の一部を形成している。ダクト蓋２０２には、通風路の側面を形成するための蓋部２５１と、メイン回路基板８３の底面側の熱を受熱する受熱部２５２とが設けられている。第２ダクト２０１の底面側には、ダクト穴部２５３が設けられており、そのダクト穴部２５３を受熱部２５２が貫通することにより、受熱部２５２が放熱シート２５４を介してメイン回路基板８３と接触している。このため、メイン回路基板８３の第１の面８８の底面側の熱を蓋部２５１に伝熱することができる。受熱部２５２は、本発明の放熱板の一例に相当する。
【００４７】
これにより、第２ダクトユニット８４が冷却されると、ダクト蓋２０２が冷却され、更にはメイン回路基板８３の第１の面８８の底面側が冷却される。即ち、メイン回路基板８３の上部のみ通風路を設けることで、メイン回路基板８３の第１の面８８の底面側を冷却することができる。この結果、第２ダクト２０１の底面側には、通風路やフィンを設ける必要がなくなり、空いたスペースにバッテリ室７８を配置することにより、カメラ本体１を小型化することができる。
【００４８】
図７（ａ）は、メイン回路基板８３をカメラ本体１の背面側から見た図である。メイン回路基板８３のカメラ本体１の背面側の面は、第２ダクトユニット８４に光軸方向に対向する面であり、この面を第１の面８８とする。
【００４９】
図７（ａ）に示すように、メイン回路基板８３の第１の面８８には、比較的発熱量の大きい主要素子２２０やコネクタ２２１などが実装されている。主要素子２２０は、画像処理ＩＣやシステム制御ＩＣ等である。近年のカメラは、高画質化や高機能化に伴い消費電力が増大しており、メイン回路基板８３に実装されている主要素子２２０は発熱し高温になる。高温になった主要素子２２０がそれぞれの保証温度を超えると、正常に動作することが困難になり、性能の悪化や故障の原因となる。
【００５０】
図７（ｂ）は、メイン回路基板８３をカメラ本体１の正面側から見た図である。メイン回路基板８３のカメラ本体１の正面側の面は、第１ダクトユニット８２に光軸方向に対向する面であり、この面を第２の面８９とする。図７（ｂ）に示すように、メイン回路基板８３の第２の面８９には、第１の面８８に実装された主要素子２２０に比べて比較的発熱量の小さい電子部品が実装されている。
【００５１】
図８（ａ）は第２ダクト２０１をフィン２１０側から見た図、図８（ｂ）は図８（ａ）のＡ部拡大図である。図８に示すように、フィン２１０は、流路方向に対して上流側（図の右側）から下流側（左側）に向けて配置された少なくとも第１列のフィン２３０と第２列のフィン２３１とを備え、複数の列を成すフィンにより構成されている。第１列のフィン２３０、及び第２列のフィン２３１は、それぞれ流路方向に対して平行に配置されている。これにより、第２ダクトユニット８４の内部を流れる空気の圧力損失を極力抑え、放熱に必要な空気の流量を確保している。
【００５２】
また、第１列のフィン２３０、及び第２列のフィン２３１は、流路方向に対して垂直方向に一定の間隔（ピッチ）で複数配置されており、第１列のフィン２３０と第２列のフィン２３１は、それぞれ同ピッチである。さらに、第２列のフィン２３１は、第１列のフィン２３０に対して流路方向に対して垂直方向に半ピッチ分オフセットした位置に配置されている。
【００５３】
図９は、フィン２１０の間を流れる空気の温度境界層を説明するイメージ図である。前述したように、第２ダクトユニット８４のフィン２１０の間を流路方向に空気が流れる。まず、第１列のフィン２３０の間を空気が流れる際、第１列のフィン２３０から空気へ熱が伝えられるため、暖められた空気の層が領域ａのように下流に向かって徐々に厚くなるように形成される。第１列のフィン２３０の間の領域ｂには、比較的暖められていない空気が流れている。
【００５４】
次に、第２列のフィン２３１の間を空気が流れていく。そこで、第１列のフィン２３０に対して半ピッチ分オフセットした位置にある第２列のフィン２３１の上流側端には領域ｂの暖められていない空気が触れる。これにより、フィン２１０の下流側に立設している第２列のフィン２３１も比較的暖められていない空気と触れることができ、空気への熱伝達を促すことができる。さらに、第２列のフィン２３１の上流側端に空気が当たることにより、その部分においては空気の流れが乱流化する。
【００５５】
乱流は、層流と比較して熱伝達率が高いため、放熱効果が上がる。したがって、本実施形態のフィン構造によれば、冷気（比較的暖められていない空気）の利用と、空気の乱流化の効果によって、下流側の放熱量が大きくなり、結果として全体の放熱性能が上げることができる。
【００５６】
図１０は、メイン回路基板８３と第２ダクト２０１の部分拡大図である。第２ダクトユニット８４では、フィン２１０の全体に一様に空気が触れることで、フィン２１０から空気へと安定して熱を伝えることができる。そのため、前述したように、フィン２１０は一定のピッチで並んで複数配列されている。それにより、全ての流路において流路断面積を略一定にすることができ、流量分布が一定になり全てのフィンに空気が行き渡る。
【００５７】
本実施形態では、フィン２１０は、第１列のフィン２３０と第２列のフィン２３１で構成され、前述したように、第１列のフィン２３０と第２列のフィン２３１が半ピッチ分オフセットされている。このため、第２列のフィン２３１が第１列のフィン２３０に比べて半ピッチ分下方にずれて配置されている。
【００５８】
そこで、図１０に示すように、半ピッチ分下方にずれた第２列のフィン２３１の上方に位置する第２ダクト２０１の上辺外形部にずれ量に応じた切り欠き部２４１を形成して第２ダクト２０１の流路断面積が一定になるようにしている。これにより、本実施形態のように半ピッチ分オフセットされたフィン２１０の構成においても流路断面積を一定にすることができ、放熱性能が高められる。
【００５９】
また、第２ダクト２０１の一部を切り欠いたことで、比重の高い金属部材で形成された第２ダクト２０１の小型化・軽量化にも寄与する。さらに、第２ダクト２０１の切り欠か部２４１に形成される光軸方向のスペース（領域Ｂ）に、メイン回路基板８３のコネクタ２２１を配置することができ、メイン回路基板８３の小型化、ひいてはカメラ本体１の小型化が可能となる。
【００６０】
図１１は、撮像素子の放熱ユニット１０１をカメラ本体１の正面側から見た分解斜視図である。図１１に示すように、撮像素子の放熱ユニット１０１は、マウント部材２、撮像素子ユニット８１、第１ダクトユニット８２、メイン回路基板８３、第２ダクトユニット８４、及び送風機８５を有する。なお、図１１では、ＮＤユニット８０の図示は省略している。
【００６１】
図１２（ａ）はマウント部材２及び撮像素子ユニット８１をカメラ本体１の正面側から見た分解斜視図、図１２（ｂ）は図１２（ａ）の背面側から見た分解斜視図である。
【００６２】
図１２に示すように、撮像素子ユニット８１は、撮像素子１１１、撮像素子１１１が実装されるセンサ回路基板１１５、及びセンサ回路基板１１５が固定される素子固定部材１２０を有する。撮像素子１１１のカメラ本体１の正面側の面は、撮像面１１２とされ、背面側の面は、熱伝導面１１３とされている。素子固定部材１２０は、カメラ本体１の正面側の面は、素子接着面１２１とされ、背面側の面は、熱伝導面１２２とされている。素子接着面１２１には、撮像素子１１１の熱伝導面１１３が接着される。これにより、撮像素子１１１で発生する熱が素子接着面１２１を介して素子固定部材１２０に伝わる。
【００６３】
マウント部材２のカメラ本体１の正面側には、レンズユニットが着脱可能に装着されるレンズマウント面１７１が設けられ、マウント部材２のカメラ本体１の背面側には、素子固定部材１２０が固定される。マウント部材２は、カメラ本体１の正面カバーユニット３に固定される。
【００６４】
図１３（ａ）は撮像素子ユニット８１と第１ダクトユニット８２とをカメラ本体１の正面側から見た分解斜視図、図１３（ｂ）は図１３（ａ）の背面側から見た分解斜視図である。図１４は、撮像素子ユニット８１と第１ダクトユニット８２の組立体の要部断面図である。
【００６５】
図１３に示すように、第１ダクトユニット８２は、素子放熱部材１４０、保持部材１５０、弾性部材１６０、放熱部材１９０、及び導電部材１８０を備える。素子放熱部材１４０は、熱伝導面１４１、熱伝達面１４２、及び当接面１４３を有する。
【００６６】
熱伝導面１４１は、素子放熱部材１４０のカメラ本体１の正面側に配置され、素子固定部材１２０の熱伝導面１２２に当接し固定される。これにより、素子固定部材１２０に伝わる撮像素子１１１の熱が熱伝導面１４１を介して素子放熱部材１４０に伝わる。熱伝達面１４２は、素子放熱部材１４０のカメラ本体１の正面側に配置され、当接面１４３は、素子放熱部材１４０の外周部の全周に突設される。
【００６７】
保持部材１５０は、図１３（ｂ）及び図１４に示すように、爪部１５１ａ〜１５１ｆ、第１当接面１５２、第２当接面１５３、吸気口１５４ａ、吸気口１５４ｂ、排気口１５５（図１６参照）を有する。保持部材１５０は、カメラ本体１に固定され、爪部１５１ａ〜１５１ｆは、保持部材１５０の全周に突設される。第１当接面１５２は、保持部材１５０の全周に光軸と平行に設けられ、第２当接面１５３は、保持部材１５０の全周に光軸と垂直に設けられている。
【００６８】
吸気口１５４ａ及び吸気口１５４ｂは、第１ダクトユニット８２に空気を送り込む開口部であり、左側カバーユニット４の第２吸気口４１に対応して設けられ、左側カバーユニット４に当接する。排気口１５５は、第１ダクトユニット８２から空気を送り出す開口部であり、排気口１５５は、第２ダクトユニット８４に連通している。
【００６９】
弾性部材１６０は、爪係り部１６１ａ〜１６１ｆ、第１当接部１６２と、第２当接部１６３、第３当接部１６４、及びたわみ部１６５を有する。爪係り部１６１ａ〜１６１ｆは、弾性部材１６０の全周に突設され、保持部材１５０の爪部１５１ａ〜１５１ｆに係合される。
【００７０】
第１当接部１６２は、保持部材１５０の第１当接面１５２に圧接され、第２当接部１６３は、保持部材１５０の第２当接面１５３に圧接される。第３当接部１６４は、素子放熱部材１４０の当接面１４３に当接する。たわみ部１６５は、第１当接部１６２と第３当接部１６４との間に配設される。よって、弾性部材１６０は、保持部材１５０に対して、光軸方向、及び光軸中心に向かう方向（径方向内方）に圧接される。ただし、弾性部材１６０は、素子放熱部材１４０に対して光軸中心に向かう方向に当接しているだけなので、光軸方向には移動可能である。
【００７１】
図１５は、マウント部材２と撮像素子ユニット８１と第１ダクトユニット８２の光軸方向に沿う要部断面図である。図１５において、レンズマウント面１７１から撮像面１１２までの光軸方向の距離をフランジバック長と呼ぶ。このフランジバック長が変化すると、撮像素子１１１の撮像面１１２も変化し、ユーザが意図する映像を撮影できない。本実施形態では、このフランジバック長の変化を抑えるため、弾性部材１６０を素子放熱部材１４０と保持部材１５０との間に介在させている。
【００７２】
左側カバーユニット４に当接する吸気口１５４ａ及び吸気口１５４ｂを含む保持部材１５０と、正面カバーユニット３にマウント部材２と撮像素子ユニット８１を介して固定される素子放熱部材１４０とでは、その固定方法が異なる。このため、カメラ本体１に衝撃が加わったときには、保持部材１５０と素子放熱部材１４０とでは、異なる挙動を示す。
【００７３】
例えば、素子放熱部材１４０に対して、保持部材１５０が光軸とは直交する方向に動く場合は、弾性部材１６０のたわみ部１６５が弾性変形することで、素子放熱部材１４０に衝撃が加わることを防ぐことが可能である。また、素子放熱部材１４０に対して、保持部材１５０が光軸方向に動く場合は、弾性部材１６０の第３当接部１６４が光軸方向に摺動することで、素子放熱部材１４０に衝撃が加わることを防ぐことが可能である。
【００７４】
よって、保持部材１５０と素子放熱部材１４０とで異なる挙動を示しても、素子放熱部材１４０に衝撃が加わることを防ぐことができるため、カメラに衝撃が加わっても、フランジバック長の変化を抑えた信頼性の高いカメラを提供することが可能である。
【００７５】
なお、弾性部材１６０が正常に組み込まれているかを確認する目的から保持部材１５０は光透過性のある材料であることが望ましい。ただし、光透過性の高い材料だと、ユーザがカメラ本体１の外部から見たときに、保持部材１５０を透過してカメラ本体１の内部が見えて品位が劣るため、保持部材１５０は光透過性を抑えた材料であることが望ましい。よって、組立の作業性を上げつつ、品位を落とさないためには、保持部材１５０は、半透明の材料であることが望ましい。
【００７６】
図１６は、第１ダクトユニット８２の保持部材１５０、放熱部材１９０及び導電部材１８０とメイン回路基板８３を示す斜視図である。図１７は、第１ダクトユニット８２の素子放熱部材１４０、導電部材１８０、保持部材１５０、放熱部材１９０、放熱シート２００及びメイン回路基板８３の組立体の要部断面図である。
【００７７】
図１６及び図１７に示すように、カメラ本体１の正面側から背面側に向けて素子放熱部材１４０、導電部材１８０、保持部材１５０、放熱部材１９０、放熱シート２００、メイン回路基板８３の順に配置されている。メイン回路基板８３の放熱部材１９０には、カメラ本体１の背面側に突出する凸部１９１が設けられている。放熱部材１９０は、保持部材１５０に固定される。導電部材１８０は、放熱部材１９０と素子放熱部材１４０に当接して電気的に接続している。
【００７８】
保持部材１５０には、開口部１５６（図１３（ａ）参照）が形成されており、開口部１５６から放熱部材１９０が背面側に露出している。また、放熱部材１９０は、熱伝導率の高い金属部材で形成され、保持部材１５０は、放熱部材１９０より熱伝導率の低いプラスチック部材等で形成されている。
【００７９】
ここで、撮像素子の放熱ユニット１０１の空気の流路について説明する。送風機８５により第２ダクトユニット８４及び第１ダクトユニット８２内の空気を流動させ、第１吸気口４２から吸い込まれた外気は、第２ダクトユニット８４内を通ってから送風機８５に吸い込まれ、排気口６５から排出される。これと同時に、吸気口１５４ａ及び吸気口１５４ｂから吸い込まれた外気は、第１ダクトユニット８２内を通ってから排気口１５５を通って送風機８５に吸い込まれ、排気口６５から排出される。
【００８０】
このとき、吸気口１５４ａ及び吸気口１５４ｂから吸い込まれた外気が排気口１５５へと第１ダクトユニット８２内を流れやすくなるように導電部材１８０を配置して第１ダクトユニット８２内の流路（図１６の破線矢印）を形成している。これにより、導電部材１８０は、メイン回路基板８３の放熱部材１９０と素子放熱部材１４０を電気的に接続しつつ、第１ダクトユニット８２内の流路を形成する。
【００８１】
このように、本実施形態では、一つの送風機８５によって、第２ダクトユニット８４と第１ダクトユニット８２との二つのダクトユニット内の空気を流動させる。このため、複数の送風機を必要とせず、カメラ本体１の小型化が可能となる。
【００８２】
次に、撮像素子の放熱ユニット１０１の熱の伝達経路について説明する。前述したように、第２ダクトユニット８４のフィン２１０には、メイン回路基板８３の熱が伝わる。第１ダクトユニット８２の熱伝達面１４２には、撮像素子ユニット８１の撮像素子１１１の熱が伝わる。メイン回路基板８３とセンサ回路基板１１５とは、複数の部材を介して接続されるため、熱伝導による熱の移動を抑えた構造となっている。
【００８３】
第１ダクトユニット８２の吸気口１５４ａ及び吸気口１５４ｂから吸い込まれた外気が素子放熱部材１４０の熱伝達面１４２を通ることで、熱伝達により熱伝達面１４２が冷却される。これに伴い、素子放熱部材１４０の熱伝導面１４１に当接している素子固定部材１２０の熱伝導面１２２も冷却される。更に、素子固定部材１２０の素子接着面１２１と当接している撮像素子１１１の熱伝導面１１３が冷却される。このような熱の伝達経路で撮像素子１１１が冷却される。
【００８４】
次に、メイン回路基板８３側の熱の伝達経路について説明する。前述したように、メイン回路基板８３は、消費電力の大きい主要素子２２０を第１の面８８に配置し、第２ダクト２０１に熱伝達することで放熱している。一方、メイン回路基板８３の第２の面８９には消費電力の大きな素子は配置されていないが、第１の面８８に配置した消費電力の大きい主要素子２２０の影響を受けてしまうため放熱が必要である。
【００８５】
そこで、メイン回路基板８３の第２の面８９の熱は、放熱シート２００を介して放熱部材１９０へ伝達する。そして、放熱部材１９０の熱が第１ダクトユニット８２内を流れる空気に熱伝達され、これにより、メイン回路基板８３の撮像素子１１１側の面の素子が冷却される。
【００８６】
即ち、撮像素子１１１の熱は、素子放熱部材１４０を介して第１ダクトユニット８２内を流れる空気へ伝達され、メイン回路基板８３の撮像素子１１１側の面の素子の熱は、放熱部材１９０を介して第１ダクトユニット８２内を流れる空気へ伝達される。このとき、素子放熱部材１４０と放熱部材１９０は、熱伝導率の低い保持部材１５０を介して接続されている。以上より、第１ダクトユニット８２は、メイン回路基板８３の熱を受け取ることなく、撮像素子１１１を冷却することが可能となる。
【００８７】
次に、図１８乃至図２１を参照して、送風機８５を用いた第１記録メディア６３（以下、メディア６３という。）及び記録メディア基板８７の放熱構造について説明する。なお、図１８乃至図２１においては、カメラ本体１の上下方向、光軸方向及び左右方向をそれぞれＹ方向、Ｚ方向及びＸ方向とし、カメラ本体１の上面側、正面側、正面側から見て左側（第１吸気口４２側）をそれぞれ＋Ｙ側、＋Ｚ側、−Ｘ側とする。
【００８８】
図１８（ａ）は、メディア基板８７、第３ダクトユニット８６、送風機８５、第２ダクト２０１、メイン回路基板８３からなる冷却ユニットを−Ｚ側（カメラ本体１の背面側）から見た斜視図である。図１８（ｂ）は、図１８（ａ）に示す冷却ユニットの分解斜視図である。図１９（ａ）は図１８（ａ）に示す冷却ユニットを＋Ｚ側（カメラ本体１の正面側）から見た斜視図、図１９（ｂ）は図１９（ａ）に示す冷却ユニットの分解斜視図である。図２０（ａ）はメディア基板８７、第３ダクトユニット８６、送風機８５を＋Ｚ側から見た図、図２０（ｂ）は図２０（ａ）のＡ−Ａ線断面図である。図２１は、第３ダクトユニット８６を＋Ｚ側から見た拡大斜視図である。
【００８９】
図１８（ｂ）、図１９（ｂ）及び図２０（ｂ）を参照して、送風機８５を用いたメディア６３及びメディア基板８７の放熱構造について説明する。図２０（ｂ）に示すように、送風機８５の吸引力により外気は第３吸気口７７から図の矢印方向に第３ダクトユニット８６内に流入する。第３ダクトユニット８６内に流入した外気は第３ダクトユニット８６内に設けられた流入部３１０を通過する。
【００９０】
第３ダクトユニット８６は、メディア基板８７のメディア６３と反対面に設けられた接地面３２２（図１９（ｂ））と略同一サイズの開口部３１１（図１８（ｂ））を有している。外気は、この開口部３１１から第３ダクトユニット８６内に露出した接地面３２２の第１接地面端３２３（図１９（ｂ））から第２接地面端３２４（図１９（ｂ））までの表面に沿って流れて、第３ダクトユニット８６に設けられた流出部３０９を通過する。
【００９１】
そして、流出部３０９を通過した外気は、第３ダクトユニット８６に設けられた第２排出口３１８を通過して、送風機８５に吸引され、送風機８５の排気口６５（図１９（ｂ））から外部に排出される。
【００９２】
図１８（ｂ）に示すように、メディア基板８７と第３ダクトユニット８６との間には、第１弾性部材３０８が設けられ、第１弾性部材３０８は、第３ダクトユニット８６の開口部３１１の周囲を塞いでシールしている。また、第３ダクトユニット８６と送風機８５との間には、第２弾性部材３１２が設けられ、第２弾性部材３１２は、第３ダクトユニット８６の第２排出口３１８（図１９（ｂ））及び送風機８５の第２吸入部３１３の周囲を塞いでシールしている。
【００９３】
第１弾性部材３０８及び第２弾性部材３１２により流路とカメラ本体１の他の空間とを隔離している。また、図２０（ｂ）に示すように、メディア６３の接地面３２２上の流路のＺ方向の幅Ｚ１は、送風機８５近傍の流路のＺ方向の幅Ｚ２より狭くなっている。
【００９４】
上記のように、メディア基板８７の接地面３２２を第３ダクトユニット８６の開口部３１１から流路に露出させることで、メディア基板８７及びメディア６３の放熱性能を高める効果がある。また、接地面３２２近傍の流路の光軸方向の幅を狭くすることで、接地面３２２近傍の流速を速くすることができる。これにより、メディア基板８７及びメディア６３の放熱性能を高める効果がある。
【００９５】
また、第１弾性部材３０８及び第２弾性部材３１２により、第３ダクトユニット８６とメディア基板８７と送風機８５で形成される空間をカメラ本体１の他の空間と隔離している。これにより、防塵防滴性能を高める効果がある。また、メディア基板８７の第１接地面端３２３近傍に流入部３１０を設け、メディア基板８７の第２接地面端３２４近傍に流出部３０９を設けることにより、接地面３２２全体に略一様に外気が流れ、放熱性能を高める効果がある。
【００９６】
次に、図１８（ｂ）及び図１９（ｂ）を参照して、送風機８５を両面吸気として使用する場合について説明する。ここで送風機８５の両面吸気とは、送風機８５のＺ方向両側に設けられた第１吸入部３２５（図１９（ｂ））及び第２吸入部３１３（図１８（ｂ））から吸気することをいう。
【００９７】
図１８（ｂ）に示すように、−Ｚ側から＋Ｚ側に向けてメディア基板８７、第１弾性部材３０８、第３ダクトユニット８６、第２弾性部材３１２、送風機８５、第３弾性部材３１４、第２ダクト２０１、メイン回路基板８３の順に配置されている。ここで、第３ダクトユニット８６の第３吸気口７７は−Ｚ方向を、第２ダクト２０１の第１吸気口４２は−Ｘ方向を、送風機８５の排気口６５（図１９（ｂ））は＋Ｘ方向を向いて開口している。
【００９８】
次に、図１８（ｂ）を参照して、第１吸気口４２から外気を吸気して、メイン回路基板８３の熱を放熱する概要について説明する。送風機８５の吸引力により、外気は第の吸気口４２から第２ダクト２０１内に流入する。このとき、メイン回路基板８３と第２ダクト２０１が接しているので、メイン回路基板８３で発せられた熱が第２ダクト２０１に伝わることになる。次に、外気は、第２ダクト２０１の第１排出口３１５を通り、送風機８５の第１吸入部３２５（図１９（ｂ））に流れ込み、排気口６５（図１９（ｂ））からカメラ本体１の外部に排出される。
【００９９】
ここで、メディア基板８７の放熱構造と同様に、送風機８５と第２ダクト２０１の間には、第１排出口３１５及び第１吸入部３２５（図１９（ｂ））の周囲を覆うように第３弾性部材３１４が配置されている。第２吸入部３１３から外気を吸気してメディア基板８７の熱を放熱する構成は、前述した通りである。
【０１００】
上記のように、送風機８５を両面吸気として利用することにより、小型な放熱構造で２つの熱源を冷却することができる効果がある。また、各ダクトの排気口を１つにまとめることで、防塵防滴性能を高める効果がある。更に、第１吸気口４２と第３吸気口７７を異なる面に配置したことで、例えどちらかの吸気口が塞がれてもカメラ本体１全体の放熱性能が完全には失われない効果がある。
【０１０１】
次に、第２ダクト２０１と第３ダクトユニット８６を流れる外気の流量について説明する。第２ダクト２０１の流路の断面積、第３ダクトユニット８６の流路の断面積より大きくなっている。これにより、第２ダクト２０１には、第３ダクトユニット８６よりも多くの量の外気が流れる。本実施形態では、メイン回路基板８３は、画像処理用の基板であり、メディア基板８７より発熱量が大きい。したがって、第２ダクト２０１の流量を第３ダクトユニット８６の流量より多くし、メイン回路基板８３を重点的に冷却している。
【０１０２】
このように、送風機８５を両面吸気で利用し、かつ熱源であるメディア基板８７とメイン回路基板８３を冷やす流路を第３ダクトユニット８６と第２ダクト２０１とで独立させることで、各熱源に流れる流量を熱源の発熱量に応じて調整することが可能になる。これにより、送風機８５の吸排気力を効率よく利用することが可能になる。
【０１０３】
次に、図２１を参照して、第３ダクトユニット８６と送風機８５（図１９（ｂ））とを第２弾性部材３１２（図１９（ｂ））を用いて略密閉する構造について説明する。
【０１０４】
第３ダクトユニット８６の第２弾性部材３１２と接する面は、＋Ｚ方向に高い順に第２の面３２０、第１の面３１９、第３の面３２１を有する。第１の面３１９は、Ｚ方向投影上で排気口６５（図１９（ｂ））近傍に位置して配置されている。また、第３の面３２１は、送風機８５の不図示のワイヤーが通過する面となっている。このように、第３ダクトユニット８６の第２弾性部材３１２と接する面の高さを変えることで、送風機８５を第２弾性部材３１２が押す力を調整することが可能になる。
【０１０５】
本実施形態で用いる送風機８５は、排気口６５周辺の剛性が、その他の部分より小さい。そこで、第３ダクトユニット８６の第１の面３１９をＺ方向に低くすることで、第２弾性部材３１２が送風機８５の排気口６５周辺を押す力を弱くしている。第２弾性部材３１２の圧縮量を小さくしている。これにより、送風機８５の外装が変形して送風機８５の不図示の羽根に当たる等して送風機８５の回転力が低下するのを防ぐ効果がある。
【０１０６】
以上説明したように、本実施形態では、メイン回路基板８３（第２熱源）と撮像素子ユニット８１（第１熱源）との間に第１ダクトユニット８２を配置している。また、メイン回路基板８３（第２熱源）と記録メディア基板８７（第３熱源）との間に第２ダクトユニット８４を配置し、第２ダクトユニット８４と記録メディア基板８７との間に第３ダクトユニット８６を配置している。このため、３つの熱源８３，８１，８７で発生する熱を３つのダクトユニット８４，８２，８６で分断して放熱することができる。これにより、各熱源８３，８１，８７で発生する熱を効率よく放熱して各熱源８３，８１，８７で発生する熱による他の熱源への影響を軽減することができる。
【０１０７】
（第２の実施形態）
次に、図２２乃至図３８を参照して、本発明の電子機器の第２の実施形態であるレンズ交換式のデジタルビデオカメラについて説明する。図２２（ａ）は本発明の電子機器の第２の実施形態であるレンズ交換式のデジタルビデオカメラを正面側から見た斜視図、図２２（ｂ）は図２２（ａ）に示すデジタルビデオカメラを背面側から見た斜視図である。なお、本実施形態では、本発明の電子機器として、撮像装置の一例であるデジタルビデオカメラを例示するが、これに限定されない。
【０１０８】
本実施形態のデジタルビデオカメラ（以下、カメラという。）は、図２２に示すように、カメラ本体５０１の正面側に、交換レンズ部５１０及び交換レンズ部５１０を着脱するためのマウント部５２０が設けられている。カメラ本体５０１の正面側から見て左側の側部には、左側カバーユニット５０４が設けられている。
【０１０９】
左側カバーユニット５０４には、後述する第１ダクトユニット７００（図２７参照）に外気を取り込むための第１吸気口５４１と第２ダクトユニット７１０（図２７参照）に外気を取り込むための第２吸気口５４２が設けられている。また、左側カバーユニット５０４には、カメラ本体５０１を撮影時に把持するための不図示のグリップユニットが着脱可能に取り付けられるグリップ取り付け部を設けることもできる。このグリップユニットには、撮影のスタート／ストップを行うキーや、カメラ本体５０１を作動させるためのバッテリ等が配置され、カメラ本体５０１と電気的に接続することで上記操作を行うことができる。
【０１１０】
カメラ本体５０１の正面側から見て右側の側部には、右側カバーユニット５０５が設けられており、右側カバーユニット５０５には、右側面操作キー５６５及び電源ダイアル５６０が配置されている。
【０１１１】
右側面操作キー５６５は、撮影時、再生時に使用する釦であり、それぞれに機能割り振りが可能となっている。例えば、撮影のスタート／ストップ、ピーキング、撮影画角の部分拡大、ＮＤユニットのフィルタ濃度の切り替え、送風機の回転数の変更等の釦である。
【０１１２】
電源ダイアル５６０は、回動操作により、カメラの電源のオン／オフや再生モードへの切り替えが可能である。また、右側カバーユニット５０５には、後述する送風機６５０（図２７参照）により空気を外部へ排出するための排気口５５０が設けられている。
【０１１３】
カメラ本体５０１の背面側には、背面カバーユニット５０７が設けられている。背面カバーユニット５０７の下側には、カメラ本体５０１で撮影したデータを記録可能な第１記録メディア６２２及び第２記録メディア６４２（図３６参照）を保護する記録メディア蓋５９０が設けられている。第１記録メディア６２２及び第２記録メディア６４２にデータを同時記録することも可能であり、記録メディアを選択して選択した記録メディアにデータを記録することができる。第１記録メディア６２２は第２記録メディア６４２に比べ、より高速にデータを記録することができ、かつ消費電力も高い。
【０１１４】
また、背面カバーユニット５０７の中央には、表示パネル部５３０が設けられている。表示パネル部５３０は、背面カバーユニット５０７の右側カバーユニット５０５側に設けられたパネルヒンジ部５３１を介してカメラ本体５０１に対して開閉方向に回動可能にかつ開状態で回転可能に支持されている。これにより、表示パネル部５３０を反転収納してカメラ本体５０１の背面上で画像を確認することも可能である。
【０１１５】
また、背面カバーユニット５０７には、後述する第３ダクトユニット７２０（図２７参照）に外気を取り込むための第３吸気口５８０が記録メディア蓋５９０の近傍に配置されている。更に、表示パネル部５３０の背面の左側カバーユニット５０４側には外部インターフェイス部５７０が配置されている。外部インターフェイス部５７０とは、例えばＳＤＩ信号を出力するためのＢＮＣコネクタ、映像出力するためのＨＤＭＩ（登録商標）コネクタ、電源供給用の電源コネクタ、音声出力用のヘッドフォンコネクタ等である。
【０１１６】
図２３は、表示パネル部５３０が開いた状態でのカメラ本体５０１を背面側から見た斜視図である。図２３に示すように、カメラ本体５０１の背面中央には、メニュー表示及びその操作や入力音声の選択や音量レベルを設定するための背面操作キー５８２が配置されている。
【０１１７】
図２４は、カメラ本体５０１の外部インターフェイス部５７０に外部接続ケーブルの外部インターフェイス端子９００を接続した状態をカメラ本体５０１の背面側から見た斜視図である。図２４に示すように、外部インターフェイス部５７０に外部インターフェイス端子９００が接続された状態では、カメラ本体５０１の背面の左側カバーユニット５０４側から指を入れる等で表示パネル部５３０を図２３のように開くことができない。
【０１１８】
そこで、本実施形態では、図２３及び図２４に示すように、背面カバーユニット５０７の表示パネル部（表示ユニット）５３０の下側に凹形状の背面指かけ部５８５を設けている。また、外部インターフェイス部５７０は、表示パネル部５３０を間に挟んでパネルヒンジ部５３１の反対側に設けられている。
【０１１９】
図２４は、カメラ本体５０１の背面指かけ部５８５近傍の要部断面図である。図２５に示すように、背面指かけ部５８５は、表示パネル部５３０が図２４及び図２５に示すようにカメラ本体（機器本体）５０１の背面に収納された状態でその一部が背面投影上重なるような位置関係になっている。
【０１２０】
また、収納状態の表示パネル部５３０の中心に対し背面カバーユニット５０７の左側カバーユニット５０４側、すなわち表示パネル部５３０の中心に対しパネルヒンジ部５３１から遠い側に背面指かけ部５８５が配置されている。これらの配置及び形状により、図２６に示すように、下側から撮影者が指をかけて表示パネル部５３０を簡易に開くことができるようになっている。
【０１２１】
また、背面指かけ部５８５に第３吸気口５８０を設けることにより、別途に吸気用の開口スペースを設ける必要がなく、小型化に貢献できる上、表示パネル部５３０を収納した状態でも安定して空気を取り込むことが可能である。また、表示パネル部５３０を放熱する効果もある上に、上方からの水滴等の吹き込み、流れ込み等に対しても起こりにくい構造となっている。
【０１２２】
次に、図２７を参照して、カメラ本体５０１の内部構造について説明する。図２７は、カメラ本体５０１の分解斜視図である。なお、図２７では、外観カバーユニットの図示は省略している。
【０１２３】
カメラ本体５０１は、正面側から背面側に向けてマウント固定部材６７０、撮像素子基板ユニット６１０、第２ダクトユニット７１０、メイン回路基板６００、第１ダクトユニット７００、送風機６５０、及び背面カバーユニット５０７が順番に配置されている。メイン回路基板６００、第１ダクトユニット７００及び送風機６５０を一体化した状態をメインユニットとする。
【０１２４】
撮像素子基板ユニット６１０は、撮影時に発熱する第２熱源である。第２ダクトユニット７１０には、通風路が設けられており、前述した第２吸気口５４２と排気口５５０を接続している。撮像素子基板ユニット６１０で発生した熱を第２ダクトユニット７１０に伝熱することで撮像素子基板ユニット６１０を冷却している。
【０１２５】
メイン回路基板６００（第１熱源）は、カメラ本体５０１の制御、及び接続されるアクセサリ等を制御するための基板であり、基板上に複数の発熱源を有し、本実施形態において最も電力を消費し、発熱する基板である。メイン回路基板６００の背面には、第１ダクトユニット７００が配置されている。第１ダクトユニット７００には、通風路が設けられており、前述した第１吸気口５４１と排気口５５０を接続している。また、メイン回路基板６００で発生した熱を第１ダクトユニット７００に伝熱することでメイン回路基板６００を冷却している。
【０１２６】
送風機６５０の下方には、第３ダクトユニット７２０が配置され、第３ダクトユニット７２０の下方には、第１記録メディア６２２（図３６参照）を搭載可能な第１記録メディアユニット６２０（第３熱源）が配置されている。第３ダクトユニット７２０には、通風路が設けられており、前述した第３吸気口５８０と排気口５５０を接続している。
【０１２７】
第１記録メディア６２２は、データを記録する際に発熱する。このため、第１記録メディア６２２は、第３ダクトユニット７２０により冷却される。また、第１記録メディアユニット６２０の下方には、第２記録メディア６４２を搭載可能な第２記録メディアユニット６４０が配置されている。第１記録メディアユニット６２０及び第二の記録メディアユニット６４０は、保持部材６６０により保持されている。
【０１２８】
次に、図２８及び図２９を参照して、送風機６５０により発生する空気の流れについて説明する。図２８は、カメラ本体５０１の背面側から見た光軸と直交する方向に沿う断面図である。図２９は、カメラ本体５０１の上面側から見た光軸方向に沿う断面図である。なお、図２８及び図２９に示す矢印は、送風機６５０により発生する空気の流れを示している。
【０１２９】
図２８及び図２９に示すように、第１吸気口５４１から外部の空気が吸気され、吸気された空気は、第１ダクトユニット７００を通り送風機６５０に取り込まれる。同時に、第２吸気口５４２（図２２（ｂ）参照）からも外部の空気が吸気され、吸気された空気は、第２ダクトユニット７１０を通り、第１ダクトユニット７００に設けられた第２ダクト接続口７０６を通過して送風機６５０に取り込まれる。
【０１３０】
また同時に、第３吸気口５８０（図２２（ｂ）参照）からも外部の空気が吸気され、吸気された空気は、第３ダクトユニット７２０を通り、第１ダクトユニット７００に設けられた第３ダクト接続口７０７を通過して送風機６５０に取り込まれる。そして、３つの吸気口５４１，５４２，５８０から取り込まれた空気が送風機６５０により排気口５５０を通じで外部に排出される。
【０１３１】
このように、第１熱源であるメイン回路基板６００は第１ダクトユニット７００により放熱され、第２熱源である撮像素子基板ユニット６１０は、第２ダクトユニット７１０により放熱される。また、第３熱源である第１記録メディアユニット６２０は、第３ダクトユニット７２０により放熱される。
【０１３２】
更に、メイン回路基板６００と撮像素子基板ユニット６１０の間に第２ダクトユニット７１０が配置されている。これにより、発熱量の大きいメイン回路基板６００で発生した熱が撮像素子基板ユニット６１０に伝わることを防ぐことができる。また、メイン回路基板６００と第１記録メディアユニット６２０の間に第３ダクトユニット７２０が配置されている。これにより、発熱量の大きいメイン回路基板６００で発生した熱が第１記録メディアユニット６２０及び第１記録メディア６２２に伝わることを防ぐことができる。
【０１３３】
加えて、図２８に示すように、第２ダクトユニット７１０及び第３ダクトユニット７２０を流れる空気は、第１ダクトユニット７００の空気の流れ、及び互いの流れを遮らないよう送風機６５０の投影上略対角となる位置から第１ダクトユニット７００に流入する。そして、流入した空気が送風機６５０に取り込まれる構成となっている。このため、送風機６５０を片面吸気のタイプにすることができ、送風機６５０の背面カバーユニット５０７側にダクトユニットを配置する必要がなくなる。これにより、カメラ本体５０１の光軸方向の厚みを薄くし、小型化を達成することが可能になる。
【０１３４】
このように、本実施形態では、３つの熱源６００，６１０，６２０をそれぞれダクト７００，７１０，７２０で分断することにより、各熱源６００，６１０，６２０を互いに熱の影響を与えないようにしながらカメラの小型化を達成することができる。
【０１３５】
図３０乃至図３２を参照して、第１ダクトユニット７００の構造について説明する。図３０は、第１ダクトユニット７００、メイン回路基板６００及び送風機６５０を一体化したメインユニットの斜視図である。図３１は、図３０に示すメインユニットを背面側から見た斜視図である。図３２は、図３０に示すメインユニットの分解斜視図である。なお、図３０及び図３１に示す矢印は、送風機６５０により発生する空気の流れを示している。
【０１３６】
第１ダクトユニット７００を構成する第１ダクト７０１は、熱伝導率の良い金属等の部材からなり、第１ダクト蓋７０２により蓋がされ、空気が漏れないよう通風路を形成している。また、第１ダクト７０１の第１吸気口５４１（図２２（ｂ）参照）に接する部分には、クッション材としての役割も持つ弾性部材７３０を介して第１ダクト吸気口７０５がつながっており、空気が他の部分に漏れないように構成されている。
【０１３７】
メイン回路基板６００に実装されている主要素子と放熱用の第１ダクト７０１が接するように光軸方向に重ねて配置することで、主要素子の熱を金属等の第１ダクト７０１へ熱伝達することができる。なお、主要素子と第１ダクト７０１の間に放熱ゴム等を設けて第１ダクト７０１へ効率良く熱を伝達できるようにしてもよい。
【０１３８】
また、第１ダクトユニット７００には、第２ダクトユニット７１０（図２８参照）とつながる第２ダクト接続口７０６及び第３ダクトユニット７２０（図２８参照）とつながる第３ダクト接続口７０７が設けられ、それぞれから空気が流入する構造となっている。
【０１３９】
また、第１ダクト蓋７０２と送風機６５０の吸気部との間には、弾性部材７３２が設けられ、効率よく空気を流しながら空気が漏れない構成となっている。また、送風機６５０の排気側には、排気口５５０との隙間を埋める弾性部材７３１が設けられている。
【０１４０】
図３３は、第１ダクト７０１の斜視図である。図３３に示すように、第１ダクト７０１の内部には、多数の第１ダクトフィン７０３が立設されている。本実施形態では、第１ダクトフィン７０３は、第１ダクト７０１と一体に成形しているが、第１ダクトフィン７０３をヒートシンクとして別体とし、第１ダクト７０１に固定してもよい。第１ダクトフィン７０３が立設していることで、第１ダクトユニット７００の内部に空気が流れる際、空気に触れる表面積を拡大できるため、より効率的に空気へ熱伝達でき放熱できる。
【０１４１】
この際、第１ダクト７０１及び第１ダクト蓋７０２により第１ダクトユニット７００内を流れる空気の流路を限定することにより、前述したように空気を効率的に流すことができ、放熱効果が高められる。また、第１ダクト吸気口７０５、第２ダクト接続口７０６、及び第３ダクト接続口７０７のそれぞれが互いの空気の流れを遮らないよう、送風機６５０の吸気部の投影上略対角となる位置に各接続口７０６，７０７が配置される。これにより、効率的かつ熱の混流を防いでいる。
【０１４２】
なお、第１ダクト吸気口７０５、第２ダクト接続口７０６及び第３ダクト接続口７０７の位置は、必ずしも送風機６５０の吸気部の投影上略対角になる位置に限定されず、互いの流れを遮らないような構成であればそれぞれの接続口はどの位置にあってもよい。
【０１４３】
次に、図３４及び図３５を参照して、第２ダクトユニット７１０及び撮像素子基板ユニット６１０の構造について説明する。図３４は、第２ダクトユニット７１０及び撮像素子基板ユニット６１０のカメラ本体５０１の背面側から見た斜視図である。図３５は、第２ダクトユニット７１０及び撮像素子基板ユニット６１０のカメラ本体５０１の正面側から見た分解斜視図である。なお、図３４に示す矢印は、送風機６５０により発生する空気の流れを示している。
【０１４４】
第２ダクトユニット７１０は、撮像素子伝熱部材７１２と放熱用の第２ダクト７１１とから構成される。第２ダクト７１１は、撮像素子伝熱部材７１２及び第２ダクトシール材７１４により蓋がされ、空気が漏れないよう通風路を形成している。撮像素子伝熱部材７１２は、熱伝導率の高い材料で構成され、撮像素子基板ユニット６１０の撮像素子６１１と熱伝導面７１３が当接し固定される。これにより、撮像素子６１１の熱が、熱伝導面７１３を介して撮像素子伝熱部材７１２に伝わる。熱伝導面７１３は、撮像素子６１１の撮像面側と反対の面に設けられている。
【０１４５】
そして、第２吸気口５４２（図２２（ｂ）参照）とつながる第２ダクト吸気口７１５から流入した空気は、第２ダクト７１１、撮像素子伝熱部材７１２及び第２ダクトシール材７１４により構成された通風路を通り、第２ダクト排気口７１７へと排出される。このとき、第２吸気口５４２と第２ダクト吸気口７１５の間には、弾性部材７３５が配置され、空気が他の部分に漏れないように構成されている。第２ダクト排気口７１７は、第２ダクト接続口７０６とつながっており、送風機６５０に取り込まれた空気は排気口５５０より外部に排出される。
【０１４６】
また、第２ダクト吸気口７１５と第２ダクト排気口７１７を撮像素子６１１及び熱伝導面７１３の対角に配置することにより、撮像素子伝熱部材７１２の表面に最大限多くの空気を流すことができる。これにより、空気に触れる表面積を拡大できるため、より効率的に空気へ熱伝達でき放熱できる。
【０１４７】
図３６乃至図３８を参照して、第３ダクトユニット７２０及び第１記録メディアユニット６２０周辺の構造について説明する。図３６は、第３ダクトユニット７２０、第１記録メディアユニット６２０及び第２記録メディアユニット６４０周りの斜視図である。図３７は、第３ダクトユニット７２０、第１記録メディアユニット６２０及び第２記録メディアユニット６４０周りの分解斜視図である。図３８は、第３ダクトユニット７２０まわりの放熱構造を示す要部断面図である。なお、図３６及び図３８に示す矢印は、送風機６５０により発生する空気の流れを示している。
【０１４８】
第１記録メディアユニット６２０は、第１メディア基板６２１、及び第１メディア基板６２１上にはんだ付け等で電気的及び熱的に接続され、第１記録メディア６２２を保持する保持ケース部（保持部材）６２５等から構成されている。また、保持ケース部６２５の上面（平面部）６２６は、例えば矩形状をなし、第１メディア基板６２１と略平行に配置されている。第１記録メディア６２２より発生する熱は、第１メディア基板６２１及び保持ケース部６２５の上面６２６まで伝わる。
【０１４９】
また、第３ダクトユニット７２０は、保持ケース部６２５の上面６２６、及び弾性部材７３７により蓋をされて封止され、空気が漏れないよう通風路を構成している。
【０１５０】
そして、第３吸気口５８０（図２２（ｂ）参照）とつながる第３ダクト吸気口７２１から流入した空気は、第３ダクトユニット７２０、保持ケース部６２５の上面６２６及び弾性部材７３７により構成された通風路を通り、第３ダクト排気口７２２へと排出される。このとき、第３吸気口５８０と第３ダクト吸気口７２１の間には、弾性部材７３６が配置され、空気が他の部分に漏れないように構成されている。
【０１５１】
図３８に示すように、第３ダクト吸気口７２１側と第３ダクト排気口７２２側を保持ケース部６２５の上面６２６の略対角に配置することにより、上面６２６の表面に最大限多くの空気を流すことができ、空気に触れる表面積を拡大することができる。このため、第１記録メディア６２２から発生する熱をより効率的に空気へ熱伝達でき放熱できる。
【０１５２】
また、第１メディア基板６２１の第１記録メディア６２２及び保持ケース部６２５側、すなわち電子部品実装上デッドスペースとなる側に第３ダクトユニット７２０を配置している。これにより、第１メディア基板６２１の保持ケース部６２５の反対面に様々な電子部品を実装することができ、カメラ本体５０１の小型化を実現することができる。また、第１メディア基板６２１の保持ケース部６２５の反対面に第２記録メディア６４２を含む第２記録メディアユニット６４０等を配置することによっても小型化を実現することができる。
【０１５３】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【０１５４】
１  カメラ本体
８１  撮像素子ユニット
８２  第１ダクトユニット
８３  メイン回路基板
８４  第２ダクトユニット
【図１】
2018164250.tif 000003
【図２】
2018164250.tif 000004
【図３】
2018164250.tif 000005
【図４】
2018164250.tif 000006
【図５】
2018164250.tif 000007
【図６】
2018164250.tif 000008
【図７】
2018164250.tif 000009
【図８】
2018164250.tif 000010
【図９】
2018164250.tif 000011
【図１０】
2018164250.tif 000012
【図１１】
2018164250.tif 000013
【図１２】
2018164250.tif 000014
【図１３】
2018164250.tif 000015
【図１４】
2018164250.tif 000016
【図１５】
2018164250.tif 000017
【図１６】
2018164250.tif 000018
【図１７】
2018164250.tif 000019
【図１８】
2018164250.tif 000020
【図１９】
2018164250.tif 000021
【図２０】
2018164250.tif 000022
【図２１】
2018164250.tif 000023
【図２２】
2018164250.tif 000024
【図２３】
2018164250.tif 000025
【図２４】
2018164250.tif 000026
【図２５】
2018164250.tif 000027
【図２６】
2018164250.tif 000028
【図２７】
2018164250.tif 000029
【図２８】
2018164250.tif 000030
【図２９】
2018164250.tif 000031
【図３０】
2018164250.tif 000032
【図３１】
2018164250.tif 000033
【図３２】
2018164250.tif 000034
【図３３】
2018164250.tif 000035
【図３４】
2018164250.tif 000036
【図３５】
2018164250.tif 000037
【図３６】
2018164250.tif 000038
【図３７】
2018164250.tif 000039
【図３８】
2018164250.tif 000040